(57)【要約】  本発明は、ハウジング（７、８）と、ハウジングに配置され、移動可能な家具部品が開放されるときに張力が付与され得る少なくとも１つのエネルギー蓄積器（１０）と、少なくとも１つのエネルギー蓄積器（１０）に対して作用的に接続され、ハウジングに移動可能に配置されるドライバ（６）に抗して少なくとも１つのエネルギー蓄積器に予張力を付与するための張力付与機構とを備え、少なくとも１つのエネルギー蓄積器（１０）が少なくとも２つのセグメント（１１、１２、１３）に分割され、ハウジング（７、８）に解放可能にロックできるとともにエネルギー蓄積器（１０）の２つのセグメント（１１、１２、１３）間に係合する少なくとも１つの固定要素（２０、２１）によってエネルギー蓄積器（１０）の機能長さを調整できる、移動可能な家具部品の自動引込み装置（５）に関する。また本発明は引出しスライドに関する。【選択図】図２
2013524042.tif 000002
【特許請求の範囲】
【請求項１】
ハウジング（７、８）と、
前記ハウジング（７、８）に配置され、可動家具部品の開放時に張力が付与され得る少なくとも１つの力蓄積器（１０）と、
前記少なくとも１つの力蓄積器（１０）に対して作用的に連結され、前記ハウジング（７、８）上で移動できるように配置されるドライバ（６）を使用して前記少なくとも１つの力蓄積器（１０）に予張力を付与するための張力付与機構と、
を有する可動家具部品の自動引込み装置（５）において、
前記少なくとも１つの力蓄積器（１０）が少なくとも２つのセグメント（１１、１２、１３）に分割され、前記ハウジング（７、８）に取り外し可能にロックできるとともに前記力蓄積器（１０）の２つのセグメント（１１、１２、１３）間に係合する少なくとも１つの固定要素（２０、２１）によって前記力蓄積器（１０）の機能長さを調整できることを特徴とする、自動引込み装置（５）。
【請求項２】
前記力蓄積器（１０）が引張ばね（１０）として形成されることを特徴とする、請求項１に記載の自動引込み装置（５）。
【請求項３】
前記力蓄積器（１０）の個々のセグメント（１１、１２、１３）が少なくとも１つの保持部（１６、１７）によって互いから分離され、前記固定要素（２０、２１）または前記固定要素（２０、２１）のうちの１つが前記保持部（１５、１６、１７、１８）のうちの少なくとも１つに係合することを特徴とする、請求項１または２に記載の自動引込み装置（５）。
【請求項４】
少なくとも前記ドライバ（６）から離れた前記力蓄積器（１０）の端部に更なる保持部（１８）が設けられることを特徴とする、請求項３に記載の自動引込み装置（５）。
【請求項５】
前記力蓄積器（１０）が３つのセグメント（１１、１２、１３）に分割されることを特徴とする、請求項１〜４のいずれか一項に記載の自動引込み装置（５）。
【請求項６】
前記固定要素（２０、２１）が差込要素および／または捕捉要素として形成されることを特徴とする、請求項１〜５のいずれか一項に記載の自動引込み装置（５）。
【請求項７】
前記固定要素（２０、２１）に形成される捕捉ラグ（２７）を受けるために少なくとも１つの捕捉凹部（９）が前記ハウジング（７）に設けられることを特徴とする、請求項１〜６のいずれか一項に記載の自動引込み装置（５）。
【請求項８】
前記固定要素（２０、２１）の両側面に形成される捕捉ラグ（２７）を受けるために互いに対向して配置される少なくとも一対の捕捉凹部（９）が前記ハウジング（７）に設けられることを特徴とする、請求項６に記載の自動引込み装置（５）。
【請求項９】
前記力蓄積器（１０）が、前記ドライバ（６）から離れたその端部で第１の固定要素（２０）を使用して前記ハウジング（７）に固定され、および／または、達成できる復元力を増大するために、前記更なる保持部（１６、１７）のうちの１つに係合する第２の固定要素（２１）を使用して前記力蓄積器（１０）の機能長さが短くされることを特徴とする、請求項１〜８のいずれか一項に記載の自動引込み装置（５）。
【請求項１０】
引出し、家具引出し、または、同様の物のための自動引込み装置（５）を有する引出しガイド（１）であって、家具の本体に締結可能であり、前記自動引込み装置（５）が締結されるガイドレール（２）と、引出し、家具引出し、または、同様の物に締結可能であり、前記自動引込み装置（５）を制御するために作動体（４）が締結されるスライドレール（３）とを備える引出しガイド（１）において、請求項１〜９のいずれか一項に記載の自動引き込み装置（５）が設けられることを特徴とする、引出しガイド（１）。
【発明の詳細な説明】
【技術分野】
【０００１】
本発明は、請求項１の前文に係る可動家具部品の自動引込み装置、および、請求項１０の前文に係る、引出し、スライドドア、家具引出し、または、同様の物のための自動引込み装置を有する引出しガイドに関する。
【背景技術】
【０００２】
前述したタイプの自動引込み装置および引出しガイドは、従来技術から多くの実施形態で知られている。自動引込み装置は、本質的に、家具の本体に締結されるガイドレールに固定されるハウジングに配置される力蓄積器を備えており、引出し、家具引出し、または、同様の物が閉位置から引き出されると、作動体に対する自動引込み装置の結合によって力蓄積器に張力が付与され、作動体はスライドレールに締結され、また、スライドレールは、引出し、家具引出し、または、同様の物に締結されるとともに、ガイドレール上で移動できる。
【０００３】
この種に係るタイプの自動引込み装置では、自動引込み装置の意図される用途および装備に応じて、一般に特定のばね定数を有する引張ばねとして形成される特別な力蓄積器が、自動引込み装置の所望の機能を得るように選択されなければならない。したがって、例えば、比較的重い引出しに取り付けられる自動引込み装置には、比較的大きな質量を有するそのような引出しをその閉位置に引き込むことができるように、より大きなばね定数を有する引張ばねが設けられなければならない。自動引込み装置が更なる制動機能を備えていれば、この場合、自動引込みに抗する制動力を補償できるように、それに対応して更に大きなばね定数を有する引張ばねも自動引込み装置に取り付けなければならない。制動機能を伴わない自動引込み装置では、それに応じて、より小さいばね定数を有する引張ばねを使用できる。
【０００４】
様々な意図する目的のために取り付けられる自動引込み装置にそのような種々の異なる力蓄積器を設ける必要性は、比較的高い保管コストをもたらす。また、特に大きなばね定数を有する引張ばねは、自動引込み装置が取り付けられるときに、自動引込み装置の張力が付与される機構にだけ装着される場合がある。これは、さもなければ、自動引込み装置のハウジングが引張ばねの高い張力に起因して破損する虞があるからである。
【０００５】
前述した問題を解決するために、引張ばねを調整要素の一端に設けることが独国実用新案第２０２００４０００８４０号明細書から既に知られており、それにより、用法に応じて引張ばねの予張力を設定できるとともに、様々な用法への適合が可能である。
【発明の概要】
【発明が解決しようとする課題】
【０００６】
本発明の目的は、構造的に簡単な費用で様々な意図する目的に適する、可動家具部品の自動引込み装置、および、自動引込み装置を有する引出しガイドを提供することである。
【課題を解決するための手段】
【０００７】
この目的は、請求項１の特徴に係る可動家具部品の自動引込み装置によって、および、請求項１０の特徴に係る引出しガイドによって達成される。
【０００８】
本発明によれば、少なくとも１つの力蓄積器が少なくとも２つのセグメントに分割され、ハウジングに解放可能にロックできる少なくとも１つの固定要素によって力蓄積器の機能長さを調整できる。力蓄積器の機能長さの操作を介して、力蓄積器の撓み距離を構造的に簡単な方法で変えることにより、力蓄積器の復元力が達成される。これは、固定要素を簡単に移動させることにより力蓄積器の復元力を用法にしたがって適合させることができるという利点を有する。
【０００９】
本発明の有利な実施形態が従属請求項の主題である。
【００１０】
有利な改良実施形態によれば、力蓄積器の個々のセグメントが少なくとも１つの保持部によって互いから分離され、固定要素または固定要素のうちの１つが保持部のうちの少なくとも１つに係合する。したがって、保持部および固定要素は、力蓄積器の簡単で確実なロックが可能になるように形成される。
【００１１】
更なる改良実施形態によれば、少なくともドライバから離れた力蓄積器の端部に更なる保持部が設けられる。したがって、「移送位置」での力蓄積器のロックが簡単な方法で可能になり、その場合、力蓄積器の機能長さが最大となり、そのため、力蓄積器の予張力によって自動引込み装置のハウジングにかかる負荷が最小限に抑えられる。したがって、自動引込み装置の取り付け時に力蓄積器を自動引込み装置のハウジング内に既に取り付けておくことが更に可能になる。
【００１２】
好ましい改良実施形態によれば、力蓄積器が３つのセグメントに分割され、それにより、第１に、制動を伴う自動引込みのために、第２に、制動を伴わない自動引込みのために力蓄積器の機能長さを最適に設定することができ、また、第３に、力蓄積器の全長を機能長さとして利用できるように力蓄積器をロックできる。
【００１３】
本発明の改良実施形態によれば、固定要素が差込要素および／または捕捉要素として実施され、それにより、ハウジングに対する力蓄積器の特に容易に移動可能なロックが可能となる。
【００１４】
特に、固定要素に形成される捕捉ラグを受け入れるために少なくとも１つの捕捉凹部がハウジングに設けられ、これにより、ハウジングに対する固定要素の、したがって力蓄積器の構造的に簡単で確実な固定が可能になる。
【００１５】
スライドドアのための本発明に係る自動引込み装置の適用も考えられる。また、自動引込み装置をスライドレールに配置するとともに、作動体をガイドレールに配置することもできる。
【００１６】
以下、添付図面に基づいて、本発明の典型的な実施形態について更に詳しく説明する。
【図面の簡単な説明】
【００１７】
【図１】引出しガイドの改良実施形態の斜視図を示している。
【図２】本発明に係る自動引込み装置の改良実施形態の斜視図を示している。
【図３】本発明に係る自動引込み装置の改良実施形態の斜視図を示している。
【図４】力蓄積器の最大機能長さを伴う図２および図３の自動引込み装置の平面図を示している。
【図５】力蓄積器の最大機能長さを伴う図２および図３の自動引込み装置の平面図を示している。
【図６】力蓄積器の最大機能長さを伴う図２および図３の自動引込み装置の平面図を示している。
【図７】力蓄積器の機能長さが減少された図２および図３の自動引込み装置の斜視図を示している。
【図８】力蓄積器の機能長さが減少された図２および図３の自動引込み装置の斜視図を示している。
【図９】力蓄積器の最小機能長さを伴う図２および図３の自動引込み装置の斜視図を示している。
【図１０】力蓄積器の最小機能長さを伴う図２および図３の自動引込み装置の斜視図を示している。
【図１１】力蓄積器の詳細図を示している。
【図１２】図１１の力蓄積器の細部を大きく拡大した図を示している。
【図１３】力蓄積器を固定するための自動引込み装置内に挿入される固定要素の図である。
【図１４】力蓄積器を固定するための自動引込み装置内に挿入される固定要素の図である。
【図１５】様々な引張ばねの特性曲線を有するグラフを示している。
【発明を実施するための形態】
【００１８】
図の以下の説明では、上、下、左、右、前、後などの用語は、それぞれの図で選択された自動引込み装置および他の部分の典型的な視認方向および位置を専ら示している。これらの用語は、限定的であると理解されるべきではない。すなわち、これらの基準は、異なる動作位置または鏡面対称形態などによって変化し得る。
【００１９】
図１は、引出しガイドを参照符号１により全体として特定している。引出しガイドは、家具本体に締結可能なガイドレール２と、ガイドレール上で移動可能なスライドレール３とを有し、随意的に、ガイドレールとスライドレールとの間に配置される中間レールを有する。スライドレール３には、自動引込み装置５のドライバ６に係合する作動体４が配置され、自動引込み装置５はガイドレール２上に配置される。
【００２０】
図２〜図１０に示される自動引込み装置５は、本質的に、好ましくは２部品のハウジング７、８を備えており、ハウジング内には好ましくは引張ばねとして形成される力蓄積器１０が配置される。力蓄積器の一端１４は、力蓄積器１０に予張力を付与するための張力付与機構に結合される。この張力付与機構は、ハウジング８上でそれが移動できるように配置されるドライバ６を有し、ドライバ６は、取り付け状態でハウジング８のキャリッジレールに差し込まれるとともに、スライドレール３に配置される作動体４に対する動作リンクを有する。
【００２１】
図３に示されるように、ドライバ６から離れた力蓄積器１０の端部は、例えば、ハウジング７に取り外し可能にロックされる固定要素２０を介してハウジング７に固定される。
【００２２】
図１１および図１２にも示されるように、力蓄積器１０は複数のセグメント１１、１２、１３に分割され、それにより、力蓄積器１０の２つのセグメント間に１つ以上の固定要素２０、２１を係合させることによって、力蓄積器１０の機能長さを変えることができる。力蓄積器１０のセグメント１１、１２、１３間に固定要素２０、２１を更に容易に係合させるために、個々のセグメント１１、１２、１３間に保持部１６、１７がそれぞれ設けられ、保持部の幅は、図１３および図１４に詳しく示される対応して形成される固定要素２０、２１が保持部１６、１７との係合により力蓄積器１０を自動引込み装置５のハウジング７に確実に固定するように寸法付けられる。
【００２３】
固定要素２０、２１は本質的にハウジング７に適合される本体２２から成り、本体２２は、その一端側に、力蓄積器１０の保持部１５、１６、１７、１８を取り囲む口のような開口２３を有する。口のような開口２３は半円基部２６を有することが好ましく、この半円基部２６は、保持部１５、１６、１７、１８の好ましくは円柱状の外周に押し付く。互いに平行にそれぞれ延びる壁を有する部分２５が半円基部２６に隣接し、また、この部分には、端部側につながる傾斜部２４がそれぞれ隣接する。保持部１５、１６、１７、１８の挿入は傾斜部２４によって容易になされる。
【００２４】
固定要素２０、２１の側壁の少なくとも一方、好ましくは固定要素２０、２１の両側面には、固定要素２０、２１がハウジング７内に挿入された後にハウジング７の捕捉凹部９に係止することができる好ましくは差込要素および／または捕捉要素として形成される捕捉ラグ２７が形成されるのが好ましい。ハウジング７の凹部９は、力蓄積器１０の保持部の位置付けにしたがって配置される。
【００２５】
好ましい改良実施形態によれば、固定要素２０は、ドライバ６から離れたハウジング７の端部に力蓄積器１０を固定するために使用される。したがって、力蓄積器１０は、力蓄積器１０の機能長さが最大となり、それに応じて、力蓄積器１０の復元力が最小となるように、ハウジング７に固定される。このような力蓄積器１０の固定は、特に、自動引込み装置５のハウジング７、８が引出しガイド１のガイドレール２に未だ取り付けられない自動引込み装置５の事前取り付け中に推奨される。
【００２６】
自動引込み装置５が自動引込み動作を制動する更なる制動ユニットを伴わずに取り付けられるようになっている場合には、第２の固定要素２１が中間保持部１７で使用され、それにより、力蓄積器１０の機能長さがセグメント１３の長さ分だけ減少される。このように保持部１７に固定要素２１を配置することにより、力蓄積器１０の達成可能な最大復元力が高められる。
【００２７】
自動引込み装置５に更なる制動装置が設けられるようになっている場合には、固定要素２１が保持部１６に配置されるのが好ましく、それにより、力蓄積器１０の機能長さが最小にされる。
【００２８】
本発明の核となる概念は、図１５に示されるグラフに基づいても明確である。実線は、引張ばねの撓みに応じた引張ばねの復元力の曲線を示している。１つの短いストロークで中断された図の線は、引張ばねの予張力Ｆ１を変えることによる復元力の影響を示している。ばね定数は実線に対して等しいままである。２つの短いストロークで中断された線は、引張ばねのセグメント化によって引き起こされる引張ばねの復元力の影響を示している。初期予張力は典型的なばねと同様に維持されるが、達成できる復元力は、引張ばねの機能長さを一様な撓みを伴って短くすることによって増大され、そのため、簡単な方法で、力蓄積器１０の機能長さを適合させることにより、様々な目的のために、セグメント化された力蓄積器１０を有する自動引込み装置５を使用できる。
【符号の説明】
【００２９】
１  引出しガイド
２  ガイドレール
３  スライドレール
４  作動体
５  自動引込み装置
６  ドライバ
７  ハウジング
８  ハウジング
９  捕捉凹部
１０  力蓄積器
１１  セグメント
１２  セグメント
１３  セグメント
１４  力蓄積器の端部
１５  保持部
１６  保持部
１７  保持部
１８  保持部
１９  力蓄積器の端部
２０  固定要素
２１  固定要素
２２  本体
２３  開口
２４  傾斜部
２５  部分
２６  半円基部
２７  捕捉ラグ
Ｆ１  予張力
Ｆ２  復元力
【図１】
2013524042.tif 000003
【図２】
2013524042.tif 000004
【図３】
2013524042.tif 000005
【図４】
2013524042.tif 000006
【図５】
2013524042.tif 000007
【図６】
2013524042.tif 000008
【図７】
2013524042.tif 000009
【図８】
2013524042.tif 000010
【図９】
2013524042.tif 000011
【図１０】
2013524042.tif 000012
【図１１】
2013524042.tif 000013
【図１２】
2013524042.tif 000014
【図１３】
2013524042.tif 000015
【図１４】
2013524042.tif 000016
【図１５】
2013524042.tif 000017
【国際調査報告】
2013524042.tif 000018
2013524042.tif 000019
2013524042.tif 000020
2013524042.tif 000021